(57)【要約】【課題】  クローゼットの衣服と種々のアクセサリーとのコーディネートも容易に行なえ、種々のアクセサリーが埃等で汚れることなくスッキリと収納することができるようにする。【解決手段】  左右に対峙して配設された側方ボードと、両側方ボードにわたって架着された横桟部材並びに収納物吊下用横桟部材とを備えてなるハンガークローゼットであって、横桟部材及び収納物吊下用横桟部材で連結される両側方ボードの少なくとも一方の側方ボードに小物収納空間を有する収納部を設けた。【選択図】図１
0003112383.tif 000002
【実用新案登録請求の範囲】
【請求項１】
左右に対峙して配設された側方ボードと、両側方ボードにわたって架着された横桟部材並びに収納物吊下用横桟部材とを備えてなるハンガークローゼットであって、横桟部材及び収納物吊下用横桟部材で連結される両側方ボードの少なくとも一方の側方ボードに小物収納空間を有する収納部を設けたことを特徴とするクローゼット。
【請求項２】
小物収納部が側方ボード部分から引き出し可能に収納される引出しで構成されたことを特徴とする請求項１に記載のクローゼット。
【請求項３】
両側方ボードの表面及び引出の表面部分に化粧用シートを貼着したことを特徴とする請求項１または請求項２に記載のクローゼット。
【請求項４】
両側方ボードの表面及び引出の表面部分に貼着された化粧用シートの周縁部分にステッチ模様を設けたことを特徴とする請求項３に記載のクローゼット。
【請求項５】
小物収納部が側方ボード部分に設けられた小物収納用棚で構成されたことを特徴とする請求項１に記載のクローゼット。
【請求項６】
衣服収納用空間の前面にカーテンを設けたことを特徴とする請求項１に記載のクローゼット。
【請求項７】
収納物吊下用横桟部材の上部に空間を形成し、当該空間部分に物品載置用の棚を設けたことを特徴とする請求項１乃至６の何れか１項に記載のクローゼット。
【考案の詳細な説明】
【技術分野】
【０００１】
本考案は服やズボン・スカート等の衣類を整理するために室内に設置されて使用されるクローゼットに関するものである。
【背景技術】
【０００２】
一般に、この種のクローゼットとしては、本考案の出願人が先に提案したものがある。
これはベニヤ板や圧縮ボードを心材とした板状の側方ボードを左右に配置し、この両ボードにわたって横桟部材並びに収納物吊下用横桟部材を架着して両側方ボードを固定するとともに、ボードの側面部分にフックを形成できるようにした部分を設けて構成するようにしてある。（特許文献１）
【特許文献１】特開平２００３−７９４４５号公報
【考案の開示】
【考案が解決しようとする課題】
【０００３】
上記先の提案にかかる従来のクローゼットでは、フックで掛止できるようなたとえがネクタイやネックレス等の紐状のものは吊持できるものの、指輪やブローチ、眼鏡や時計等の小物のアクセサリーは別の場所に収納しなくてはならず、クローゼットにある衣服と別の場所に収納されている上記アクセサリーとをコーディネートするのに不便であった。
フックで掛止されたネクタイやネックレス等は、見苦しいだけでなく埃を被り汚れやすいという問題もあった。
また、側方ボードが、ベニヤ板や圧縮ボードを心材とした板状の部材で形成されたものでは、美観の点で室内の雰囲気と調和し難いという問題があった。
本考案は上記問題点に鑑み提案されたもので、クローゼットの衣服と種々のアクセサリーとのコーディネートも容易に行なえ、種々のアクセサリーが埃等で汚れることなくスッキリと収納することができるとともに、室内の雰囲気にも調和する美観に優れたクローゼットを提供することができるようにするものである。
【課題を解決するための手段】
【０００４】
上記目的を達成するために本考案にかかるクローゼットは、左右に対峙して配設された側方ボードと、両側方ボードにわたって架着された横桟部材並びに収納物吊下用横桟部材とを備えてなるクローゼットであって、横桟部材及び収納物吊下用横桟部材で連結される両側方ボードの少なくとも一方の側方ボードに小物収納空間を有する収納部を設けたことを最大の特徴とするものである。
【０００５】
また、本考案のクローゼットでは、小物収納部が側方ボード部分から引き出し可能に収納される引出しで構成されたこと、両側方ボードの表面及び引出の表面部分に化粧用シートを貼着したこと、両側方ボードの表面及び引出の表面部分に貼着された化粧用シートの周縁部分にステッチ模様を設けたことや、小物収納部が側方ボード部分に設けられた小物収納用棚で構成されたこと、収納物吊下用横桟部材の上部に空間を形成し、当該空間部分に物品載置用の棚を設けるようにしたことも特徴とするものである。
【考案の効果】
【０００６】
本考案にかかるクローゼットは、両側方ボードの表面及び引出の表面部分に化粧用シートを貼着してあるので、ベニヤ板や圧縮ボードを心材とした板状の部材で形成とは異なり、美観に優れ、室内の雰囲気にも馴染み易いものにすることができる。また、両側方ボードの表面及び引出の表面部分に貼着された化粧用シートの周縁部分にステッチ模様を設けたものではその効果を更に向上させることができる利点がある。
加えて、左右に対峙して配設された側方ボードと、両側方ボードにわたって架着された横桟部材並びに収納物吊下用横桟部材とを備えたハンガークローゼットの両側方ボードの少なくとも一方の側方ボードに小物収納空間を有する収納部を設け、この小物収納部に、指輪やブローチ、眼鏡や時計等の小物のアクセサリーを収納することができる。
これにより、クローゼットの衣服を選ぶと側方ボードの収納部に収納された種々のアクセサリーを順次取り出して簡単に合わせられるので、そのコーディネートも容易に行なえる利点がある。
【０００７】
また、収納部に収納された指輪やブローチ、眼鏡や時計等の小物のアクセサリーは、従来の側壁部分に吊下げるようにしたもののように露出して見苦しくなることもなく、埃等で汚れたりすることもなくせる利点もある。
更に、収納物吊下用横桟部材の上部に空間を形成し、当該空間部分に物品載置用の棚を設けたものでは上記効果に加えて空間の有効利用を図ることができる利点もある。
【考案を実施するための最良の形態】
【０００８】
以下本考案のクローゼットにかかる一実施の形態を図面に基づいて説明する。
【実施例１】
【０００９】
図１はクローゼットの全体斜視図であって、図中符号１はクローゼットを全体的に示す。このクローゼット１は、左右に対峙して配設された側方ボード２・３と、両側方ボード２・３にわたって架着された横桟部材４・５並びに収納物吊下用横桟部材６とを備えてなる。
横桟部材４・５は、対峙する側方ボード２・３の上部同士を連結する前後１対に設けた上部横桟部材４と、側方ボード２・３の後面寄り部分で中間高さ位置同士を連結する上下一対の下方横桟部材５とからなる。
【００１０】
上記上部横桟部材４と下方横桟部材５及び収納物吊下用横桟部材６の夫々は、内外２重のパイプ７・８で形成され、外側パイプ７の端部が一方（図上左方）の側方ボード２に、内方のパイプ８の端部が他方（図上右方）の側用ボード３にそれぞれ固定されており、この内外２重のパイプ７・８を相対的に摺動させることにより、側方ボード２・３間の長さ、つまり物品（衣服）収納用空間９の大きさを変更できるようになっている。
クローゼット１の組み立て時及び側方ボード２・３間の長さを変えて収納用空間９の大きさを変更した時には、上部横桟部材４と下方横桟部材５及び収納物吊下用横桟部材６の内外に重なり合う部分の外側パイプ７の端部に取り付けられたストッパ１０で固定される。
【００１１】
ストッパ１０は、詳細な図示は省略したが、外側パイプ７の遊端部にカラー１１を固定し、このカラー１１から外側パイプ７を貫通させてねじ孔を形成し、このねじ孔に操作用つまみ１２を設けた止め螺子を嵌合させるようにした一般的な構造のものである。
下方横桟部材５はストッパ１０寄り部分が矩形の補強板１３が取り付けられてその強度を充分なものにしてある。
また、収納物吊下用横桟部材６は、前後に設けられた上方横桟部材４からV形の保持具１４が設けられることにより収納物吊下用横桟部材６の中央部分が吊持された衣服等の重みで垂れ下がるのを防止するようにしてある。
【００１２】
上記側方ボード２・３の一方（図上左方）の側方ボード２は、前面部分が開口する縦長の箱状に形成されており、表面部分にはレザー風の化粧用シート２５が貼着され、各化粧用シート２４の周縁部分にはステッチ模様２６が設けられるとともに、四囲の角部には補強用金具２７が取り付けてある。
また、当該側方ボード２の前面部分の開口部分は鏡１５付きの扉１６で開閉可能に蓋され、この１６扉の表面部分にもレザー風の化粧用シート２５が貼着され、各化粧用シート２５の周縁部分にはステッチ模様２６が設けられており、その内方には１つの縦長の小物収納空間１７が形成されている。
他方（図上右方）の側方ボード３は上記一方の側方ボード２より幅広に形成され、その内部空間が複数に区画されるとともに、各区画には抜き差し可能な引き出し１８が装着され、この引き出し１８の内部空間が小物収納空間１５となっている。
そして、この側方ボード３の及び引き出し１８の各表面部分にはレザー風の化粧用シート２５が貼着され、各化粧用シート２５の周縁部分にはステッチ模様２６が設けられ、四囲の角部には補強用金具９が取り付けてある。
尚、図中符号２１は、扉１６及び引き出し１８の各表面部分に設けられた矩形で弓なりに形成された取手である。
【００１３】
上記のクローゼット１を使用する場合を次に説明する。
先ず、本考案にかかるクローゼット１は、各部材が分解された状態のキットになっており、このキットをクローゼット１設置する場所に運び込む。
こうした搬送時には、横桟部材４・５並びに収納物吊下用横桟部材６は内外のパイプを摺動させて寸法を短くした状態で左方の側方ボード２内に収納しておくと、コンパクトにまとめることができる。
次に、一対の側方ボード２・３を、物品収納用空間９を開けた状態で左右に対峙させ、横桟部材４・５及び収納物吊下用横桟部材６の両端部を両側方ボード２・３が対面する面に固定する。
【００１４】
然る後、上方横桟部材４と下方横桟部材５及び収納物吊下用横桟部材６をストッパ１０で固定すると、所望する場所にクローゼット１が設置される。
上述のように衣服収納用空間９を開けた状態で左右に対峙させた両側方ボード２．３は、その上端寄り部分の前後が上方横桟部材４で、後ろ側中間高さ位置部分を矩形の補強板１３が取り付けられた下方横桟部材５で連結されるので、強度的にも優れたものとなる。
尚、図中想像線図２２で示すようにクローゼット１の上面から前面部分にかけてカーテン状の覆いを設けることもある。
【００１５】
斯くして設置されたクローゼット１は、衣服収納用空間９の収納物吊下用横桟部材６にハンガーに吊るした衣服をかけて収納する。
左方の側方ボード２の小物収納用空間１７には図示は省略したが、例えばゴルフクラブや掃除機の吸引ホース等の比較的長いものを収納するのに利用することができる。
一方、右方の側方ボード３の引き出し１８のそれぞれの小物収納用空間１９には、指輪やネックレス、眼鏡やスカーフ等（図示せず）を分別して収納する。
しかして各小物収納用空間１７・１９に収納された小物は、引き出し１８や扉１６を開けるだけでその内容物を簡単に視認することができるので、クローゼット１の衣服を選ぶ時、引き出し１８の小物収納用空間１７・１９に収納された種々のアクセサリーを順次取り出して扉１６に設けた鏡１５を見ながら簡単に組み合わせることができる。
【００１６】
尚、上述した例では、左右の両側方ボード２・３に小物収納用空間１７・１９を形成するようにしてあるが、何れか一方にのみ小物収納用空間を形成するようにしてもよいことは勿論である。
更に小物収納用空間は、一つの空間や、引き出しで形成したものに限られず、図２に示すように開閉扉２３付きの棚２４で形成することもできるのはいうまでもないことである。
また、詳細な図示は省略したが、例えば図１に符号Ｓで示す収納物吊下用横桟部材６の上部に空間を形成し、当該空間Ｓ部分に物品載置用の棚を設け、ここに小物収納用空間を形成することもできる。
【図面の簡単な説明】
【００１７】
【図１】は本考案にかかるクローゼットの斜視図である。
【図２】は本考案にかかる小物収納用空間の変形例を示す斜視図である。
【符号の説明】
【００１８】
１・・・クローゼット
２・３・・・側方ボード
４・５・・・横桟
５・・・横桟部材
６・・・収納物吊下用横桟部材
１７・１９・・・小物収納空間
１８・・・引き出し
２４・・・棚
２５・・・化粧用シート
２６・・・ステッチ模様
【図１】
0003112383.tif 000003
【図２】
0003112383.tif 000004